(57)【特許請求の範囲】
【請求項１】
原稿の画像を表示する表示器と、この表示器をその表示面がレンズ部側へ回転可能となるように支持する支持部と、上記表示器上の画像を被撮影者側へ反射させ、かつレンズ部へ外光を入射させるハーフミラーを有し、このハーフミラーをレンズ部側へ向けた表示器に取り付けるハーフミラーアタッチメントと、このハーフミラーアタッチメントの使用時に原稿のミラー画像を上記表示器に表示するための画像反転手段と、を設けたことを特徴とするテレビカメラ用プロンプター装置。
【請求項２】
原稿の画像を表示する表示器と、この表示器をその表示面がレンズ部側へ回転可能となるように支持する支持部と、を有し、この支持部として、上記箱状表示器の両側面の回転軸を軸支し、かつ３６０度の回転が可能となるように表示器外周に沿った形状とされた保持枠と、この保持枠を分離可能に支持する支持アームと、を設けたことを特徴とするテレビカメラ用プロンプター装置。
【発明の詳細な説明】
【０００１】
【産業上の利用分野】
本発明は、特に各種の撮影場所に搬入される放送用、業務用のテレビカメラ等に適用されるプロンプター装置の構成に関する。
【０００２】
【従来の技術】
テレビカメラ用プロンプター装置は、ニュースキャスター、司会者、出演者等に必要な原稿（ニュース原稿、台詞、注意書き等の各種の原稿）を、これらの被撮影者へ見せるための装置であり、この装置として、例えば図７に示されるものがある。図７において、テレビカメラ１のレンズ部２の前方にハーフミラー３が配置され、このハーフミラー３の下側に、透過型液晶表示板４が設けられており、この液晶表示板４には、ビデオカメラ５で撮影した原稿６の画像が表示されるようになっている。従って、液晶表示板４に表示された画像はハーフミラー３に映し出される。
【０００３】
このようなプロンプター装置によれば、ニュースキャスター７等はレンズ部２の手前にあるハーフミラー３上に映し出された原稿を読むことが可能となり、これによってニュース解説等が行われる。同時に、ニュースキャスター７等はハーフミラー３を介してレンズ部２で撮影されており、これによってニュースキャスター７の視線が常にレンズ部２の正面を向いた状態となる。
【０００４】
【発明が解決しようとする課題】
ところで、上記のテレビカメラ用プロンプター装置では、原稿を撮影してハーフミラー３へ映し出すために、ハーフミラー３、液晶表示板４、ビデオカメラ５等を用いており、テレビカメラ１を野外等に移動させて撮影を行う場合には、これらの部材のを含めた装置類の持運び（搬出入）が容易にできず、スタジオ以外の場所での撮影では不便となるという問題があった。
【０００５】
そこで、本出願人は画像メモリを備えた表示器をレンズ部２の外周近傍（上側又は下側等）に配置できるようにし、このレンズ部２で捉えた原稿の画像情報を上記メモリに記憶させ、必要に応じて原稿を表示器へ画像表示するものを提案している（特願平５−２５９６７８号）。これによれば、上記ハーフミラー３、ビデオカメラ５等が不要となり、持運びが容易となり、テレビカメラ１を肩に担いだ状態でプロンプター装置を用いることも可能となる。
【０００６】
しかしながら、このプロンプター装置を用いて、ニュース報道等のためにスタジオ撮影をする場合は、図７で示したように、レンズ部２の前方にハーフミラー３を配置する構成を採用した方がよい場合がある。即ち、このハーフミラー３を用いたときは、レンズ部２の光軸に被撮影者の視線を完全に一致させることができるという利点があり、このような構成での撮影が要請されることも多い。
【０００７】
本発明は上記問題点に鑑みてなされたものであり、その目的は、画像メモリ付きの表示器等においてハーフミラーを用い、レンズ部の光軸に被撮影者の視線を一致させる使用が可能となるテレビカメラ用プロンプター装置を提供することにある。
【０００８】
【課題を解決するための手段】
上記目的を達成するために、第１請求項記載の発明に係るテレビカメラ用プロンプター装置は、原稿の画像を表示する表示器と、この表示器をその表示面がレンズ部側へ回転可能となるように支持する支持部と、上記表示器上の画像を被撮影者側へ反射させ、かつレンズ部へ外光を入射させるハーフミラーを有し、このハーフミラーをレンズ部側へ向けた表示器に取り付けるハーフミラーアタッチメントと、このハーフミラーアタッチメントの使用時に原稿のミラー画像を上記表示器に表示するための画像反転手段と、を設けたことを特徴とする。
第２請求項記載の発明は、原稿の画像を表示するの表示器と、この表示器をその表示面がレンズ部側へ回転可能となるように支持する支持部と、を有し、この支持部として、上記箱状表示器の両側面の回転軸を軸支し、かつ３６０度の回転が可能となるように表示器外周に沿った形状とされた保持枠と、この保持枠を分離可能に支持する支持アームと、を設けたことを特徴とする。
【０００９】
【作用】
上記第１請求項記載の構成によれば、テレビカメラ側に支持アーム等によって取り付けられた表示器は、例えばレンズ部の上側に配置される。そして、一つの用い方としては、上記表示器の表示面を被撮影者に向け、画像メモリ内の情報を表示面に映し出すことにより、原稿を被撮影者に読ませることができる。他の用い方としては、上記表示器の表示面を９０度回転させて下向きにし、この表示器にハーフミラーアタッチメントを取り付けると共に、表示器には画像反転手段により原稿のミラー画像を表示させる。そうすると、ハーフミラーには原稿が正常に映し出されることになり、被撮影者の視線がレンズ部の光軸に一致した状態で、ハーフミラー上の原稿を被撮影者に読ませることができる。
【００１０】
また、上記第２請求項記載の構成によれば、例えばコ字状の保持枠で長方体状表示器の両側面が軸支され、この保持枠に吊り下げられる形で表示器が保持される。このような保持枠と表示器は、支持アームから取り外すことができることになり、表示器をテレビカメラと分離した状態で、例えばニュースキャスター、司会者等の机に置くことができる。このとき、保持枠は上側から下側へ回動させれば、表示器のスタンドとしての役目をさせることができるという利点がある。
【００１１】
【実施例】
図１〜図６には、実施例に係るテレビカメラ用プロンプター装置の構成が示されており、図１はハーフミラーアタッチメントを取り付けた状態の側面図、図２は図１のレンズ部を正面から見た図、図３は実施例の主要な回路構成を示す図、図４はハーフミラーアタッチメントを取り外した状態を示す側面図、図５は図４のプロンプター部を正面から見た図である。図１及び図４において、カメラ本体１０はレンズ部１２を有し、下側には凹部形状の肩当て部１３が設けられており、現地中継等ではこの肩当て部１３を利用してカメラ本体１０を担ぐことができる。しかし、実施例はスタジオ等で用いる場合を想定しており、カメラ本体１０は支持台１４に固定される。また、カメラ本体１０の上部にはグリップ部１５が設けられている。
【００１２】
上記グリップ部１５には、支持アーム１６が取付け用ネジ１７で固定されており、この支持アーム１６は図示のように、回動可能なアーム１６Ａ，１６Ｂとスライド可能なアーム１６Ｃから構成され、アーム１６Ｂ，１６Ｃには案内溝１８が設けられ、各アーム１６Ａ，１６Ｂ，１６Ｃの連結部分には固定用ネジ１９Ａ，１９Ｂ，１９Ｃが配置される。そして、上記アーム１６Ｃの先端部にコ字状（図２）の保持枠２０が取付け用ネジ２１で固定されており、この保持枠２０に表示器２２が保持される。
【００１３】
この保持枠２０は、図２及び図５に示されるように、長方体状の表示器２２の両側面の軸２３を回転自在に支持しており、この軸２３には、表示器２２を任意位置で固定するための固定用ネジ２４が配置される。従って、この保持枠２０及び固定用ネジ２４によれば、表示器２２を３６０度回転させると共に、その任意位置で固定することができる。
【００１４】
この表示器２２は、図５に示されるように、原稿の画像を表示するために、液晶表示板等からなる表示部２６を有し、この表示部２６の上側にはリモート操作部からの赤外線を受光する赤外線センサ２７が設けられている。また、図２に示されるように、表示器２２の上面に同様の赤外線センサ２８が設けられており、この赤外線センサ２８は後述のハーフミラーアタッチメントを取り付けたとき、リモート操作の赤外線受光を補助するために配置される。更に、表示器２２の裏側にはハーフミラー使用時に画像をミラー像へ反転させるための切換えスイッチ３０が設けられる。
【００１５】
上記の原稿の画像表示及び画像反転は、図３の回路によって行われる。即ち、図３に示されるように、カメラ本体１０内にはレンズ部１２からの像光を受けるＣＣＤ（Ｃｈａｒｇｅ  Ｃｏｕｐｌｅｄ  Ｄｅｖｉｃｅ）３２が配置され、このＣＣＤ３２の後段に所定の信号処理を施して映像信号を得るための映像回路３３が設けられており、この映像回路３３で形成された映像信号はビューファインダ及びモニタへ出力されると共に、表示器２２内にも出力される。
【００１６】
一方、表示器２２内には、画像メモリ３４及びＣＰＵ３５が設けられており、この画像メモリ３４は上記映像回路３３の出力をＣＰＵ３５の制御によって記憶することができる。従って、表示器２２の不図示の動作スイッチにより原稿の撮影・記録が開始されると、原稿の画像は映像回路３３から画像メモリ３４内へ取り込まれることになり、必要なときに上記表示部２６へ画像表示することが可能となる。なお、上記画像メモリ３４へは、パソコン等から原稿情報を記憶させることもできる。更に、表示器２２には、図示していないが、ビデオ入力端子が設けられており、図７で示したビデオカメラ５等からの画像信号を入力し、上記画像メモリ３４内に記憶した原稿以外の原稿についても、表示器２２へ表示できるようになっている。
【００１７】
また、上記ＣＰＵ３５には、上述した赤外線センサ２７，２８の出力と切換えスイッチ３０の出力が入力されており、この赤外線センサ２７，２８からの画像制御信号に基づいて、ＣＰＵ３５は原稿の頁めくり等の動作を行うと共に、切換えスイッチ３０の出力に基づいて画像反転動作を実行する。即ち、切換えスイッチ３０がａ端子側にあるときは、通常の状態の原稿画像を表示部２６へ表示する処理をするが、ｂ端子側に切り換えられると、原稿のミラー画像を表示する処理を実行する。実施例では、画像の上下及び左右が反転するように、画像メモリ３４内の画像を読出し制御するようになっている。
【００１８】
そして、図１及び図２に示されるように、上記表示器２２の表示面側にはハーフミラーアタッチメント３６が取り付けられる。このハーフミラーアタッチメント３６は、ハーフミラー３７を回動自在に支持する支持板３８を有し、この支持板３８にはハーフミラー３７の回動操作をする操作ツマミ３９と、レンズ部１２の先端部を包み込みながら、前面のみを開けてハーフミラー３７全体を覆う遮光体４０とが設けられる。上記支持板３８は、不図示の取付け部材、例えば軸部が差込み接続される半蝶番状の接続部材やマグネットを利用した接続部材により、表示器２２へワンタッチで取り付けられ、また操作ツマミ３９によれば、ハーフミラー３７を鎖線の上部位置（収納位置）と、４５度程度傾いた実線位置とに移動配置することができる。
【００１９】
実施例は以上の構成からなり、以下にその作用を説明する。まず、ハーフミラーアタッチメント３６を装着しない場合は、図４に示される状態となり、ここでは、レンズ部１２の先端にレンズフード４２が配置され、表示器２２の前面にもフード４３が取り付けられる。そして、図示されるように、表示部２６が被撮影者を向くように真っ直ぐ配置して、表示器２２は固定用ネジ２４で固定されており、また支持アーム１６のアーム１６Ｂと１６Ｃを動かすことによって、表示器２２が上記レンズフード４２の上側近傍に配置される。
【００２０】
図５には、このときのレンズ部１２と表示器２２の正面が示されており、この場合は、レンズ部１２の撮影レンズ４４の真上に表示器２２が配置された状態で、その表示部２６に表示された原稿を読むことが可能となる。なお、不図示のリモート操作部から出力される赤外線は、赤外線センサ２７で検出されており、これによって原稿の頁めくり等を操作することができる。このような構成のプロンプター装置は、現地における中継、あるいは野外での撮影等に有効に用いられることになる。
【００２１】
一方、ハーフミラーアタッチメント３６を装着した場合は、図１に示される状態となり、ここでは上記レンズフード４２及びフード４３が取り外される。そして、表示部２６の表示面が下側を向くように表示器２２を９０度回転させ、この状態で固定用ツマミ２４によって表示器２２を固定する。また、支持アーム１６のアーム１６Ｂと１６Ｃを動かすことによって、表示器２２がレンズ部１２よりも前側へ動かされ、この表示器２２には上述したハーフミラーアタッチメント３６が図１のように取り付けられる。更に、表示器２２の裏面にある切換えスイッチ３０がｂ側（図３）に切り換えられる。
【００２２】
図２には、このときの表示器２２及びハーフミラーアタッチメント３６が示されており、この場合は、レンズ部１２の撮影レンズ４４に重なるハーフミラー３７の上に表示部２６の投影像１００が形成されることになり、この投影像１００として映し出され原稿を読むことが可能となる。即ち、図３のＣＰＵ３５が切換えスイッチ３０のｂ側への切換え動作を検出すると、ミラー画像（上下、左右反転画像）を形成するように、画像メモリ３４から原稿情報を読み出すことになり、原稿の上下及び左右の反転画像が表示部２６上に表示される。そうすると、この表示部２６の表示像は、ハーフミラー３７で反転表示され、これによって被撮影者には正常な原稿が認識されることになる。なお、この場合のリモート操作部からの赤外線は、赤外線センサ２７だけでなく、もう一つの赤外線センサ２８でも検出される。このような構成のプロンプター装置は、スタジオ等においてカメラ本体１０を支持台１４に配置する場合等に有効に用いられる。
【００２３】
上記実施例では、表示器２２をレンズ部１２の上側に配置した例を示したが、この表示器２２はレンズ部１２の下側や左右側へ配置する構成としてもよく、いずれの場合も表示部２６の表示面がレンズ部１２側を向くように、表示器２２を回転させればよいことになる。
【００２４】
図６には、上記表示器２２を支持アーム１６から取り外して用いる場合の構成が示されており、この場合は保持枠２０と共に取り外される。即ち、図４の取付け用ネジ２１を弛めることにより、保持枠２０はアーム１６Ｃから取り外すことができる。そして、図６に示されるように、上記保持枠２０と共に表示器２２は机４６の上等に載置される。従って、この場合は保持枠２０を１８０度回転させて下側に配置すれば、図６（Ａ）に示されるように、保持枠２０がスタンドとしての役目をすることになる。また、図６（Ｂ）に示されるように、表示器２２を大きく斜めにし、斜めの表示器２２を支えるスタンドとして保持枠２０を用いることも可能となる。なお、実施例の保持枠２０はコ字状としたが、上記表示器２２の全外周に沿うような完全な枠状の保持枠としてもよい。
【００２５】
また、上記実施例では、上記表示器２２に画像メモリ３４内の原稿画像を表示する例を説明したが、この表示器２２には、ビデオ入力端子等を利用して他のビデオカメラ等で同時に撮影された原稿の画像を表示するようにしてもよい。
【００２６】
【発明の効果】
以上説明したように、第１請求項記載の発明によれば、原稿の画像を表示する表示器と、上記表示器の表示面がレンズ部側へ回転可能となるように支持する支持部と、この表示器上の画像を被撮影者側へ反射させ、かつレンズ部へ外光を入射させるハーフミラーを、上記表示器に取り付けるためのハーフミラーアタッチメントと、このハーフミラーアタッチメントの使用時に上記表示器に原稿のミラー画像を表示するための画像反転手段とを設けたので、画像メモリ付きの表示器でハーフミラーを用いることができ、持運び容易なプロンプター装置を得ると共に、レンズ部の光軸に被撮影者の視線を一致させる使用も可能となり、便利なプロンプター装置が得られるという利点がある。
【００２７】
第２請求項記載の発明によれば、上記支持部として、表示器の両側面の回転軸を軸支し、かつ３６０度の回転が可能となるように表示器外周に沿った形状とされた保持枠と、この保持枠を分離可能に支持する支持アームと、を設けたので、表示器をテレビカメラから離して、例えば机等に置く場合に、保持枠をスタンドとして用いることが可能となる。
【図面の簡単な説明】
【図１】本発明の実施例に係るテレビカメラ用プロンプター装置においてハーフミラーアタッチメントを装着した状態の構成を示す側面図である。
【図２】図１のレンズ部を正面から見た図である。
【図３】実施例の主要な回路構成を示す回路ブロック図である。
【図４】実施例の装置においてハーフミラーアタッチメントを取り外した状態の構成を示す側面図である。
【図５】図４のレンズ部を正面から見た図である。
【図６】実施例の表示器をテレビカメラから取り外して使用した状態を示す図である。
【図７】従来のプロンプター装置の使用状態を示す図である。
【符号の説明】
１，１０  …  カメラ本体、
２，１２  …  レンズ部、
１６  …  支持アーム、
２０  …  保持枠、
１９Ａ，１９Ｂ，１９Ｃ，２４  …  固定用ネジ、
２２  …  表示器、
２６  …  表示部、
３０  …  切換えスイッチ、
３４  …  画像メモリ、
３５  …  ＣＰＵ、
３６  …  ハーフミラーアタッチメント、
３７  …  ハーフミラー。
【図１】
0003566998.tif 000002
【図２】
0003566998.tif 000003
【図３】
0003566998.tif 000004
【図４】
0003566998.tif 000005
【図５】
0003566998.tif 000006
【図６】
0003566998.tif 000007
【図７】
0003566998.tif 000008